(57)【要約】【課題】ミキサの前段に設けていたイメージ信号除去のためのバンドパスフィルタを用いない構成とし、受信回路の小型化、低コスト化を可能としたヘテロダイン受信方式の無線受信機を提供する。【解決手段】局部発振信号の周波数を変えて、その信号の上側と下側の両方でヘテロダイン検波を行い、中間周波数帯の信号に周波数変換した後、上側と下側における両受信信号レベルを確認する。両受信信号レベルが同じときは、希望波信号とみなして復調信号を出力して受信状態に入るように構成する。【選択図】　　　　図１
2004080454.tif 000002
【特許請求の範囲】
【請求項１】
ヘテロダイン受信方式の無線受信機において、
局部発振信号の周波数を変えて、その信号の上側と下側の両方でヘテロダイン検波を行い中間周波数帯の信号に周波数変換した後、上側と下側における両受信信号レベルを確認し、両受信信号レベルが同じときは、希望波信号とみなして復調信号を出力し、受信状態に入るように構成したことを特徴とする無線受信機。
【請求項２】
ヘテロダイン受信方式の無線受信機において、
局部発振信号の周波数を変えて、その信号の上側をヘテロダイン検波して中間周波数帯の信号に周波数変換した後、上側における受信信号レベルを確認する第１の受信信号レベル確認手段と、
局部発振信号の周波数を変えて、その信号の下側をヘテロダイン検波して中間周波数帯の信号に周波数変換した後、下側における受信信号レベルを確認する第２の受信信号レベル確認手段と、
前記第１および第２の受信信号レベル確認手段で確認した両受信信号レベルを比較し、両受信信号レベルが同じときは、希望波信号とみなして復調信号を出力して受信状態に入るように制御し、また両受信信号レベルが異なるときは、妨害波とみなして受信動作を終了して待ち受け状態に戻るように制御する受信制御手段と、
を備えたことを特徴とする無線受信機。
【請求項３】
局部発振信号の周波数を変えて、その信号の上側又は下側でヘテロダイン検波を行い中間周波数帯の信号に周波数変換する際、受信信号の出力が無いときは、受信動作を終了して待ち受け状態に戻るように構成したことを特徴とする請求項１又は２記載の無線受信機。
【請求項４】
前記受信信号レベルの確認は、受信電界強度（ＲＳＳＩ）信号を用いて受信信号レベルの確認を行うように構成したことを特徴とする請求項１から３のうちいずれか一項記載の無線受信機。
【請求項５】
中間周波数を数十ｋＨｚとしたことを特徴とする請求項１から４のうちいずれか一項記載の無線受信機。
【発明の詳細な説明】
【０００１】
【発明の属する技術分野】
この発明は、ヘテロダイン受信方式の無線受信機に関するものである。
【０００２】
【従来の技術】
従来のヘテロダイン受信方式の無線受信機は、図４のブロック図に示すように、アンテナ１からの入力信号を低雑音増幅器２で増幅した後、イメージ信号を除去するためのバンドパスフィルタ３を介してミキサ４へ入力する。ミキサ４は、局部発振器５からの局部発振信号によって、ヘテロダイン検波を行い、中間周波数帯の信号に周波数変換し、モノシリック・セラミック・フィルタ（ＭＣＦ）などからなる中間周波バンドパスフィルタ６を通して検波回路７へ入力していた。なお、８はＣＰＵ、９はＰＬＬ回路である。
【０００３】
この図４に示すような従来のヘテロダイン受信方式の無線受信機では、必ずイメージ信号が存在するため、ミキサ４の前段にイメージ信号除去用のバンドパスフィルタ３を設けてイメージ信号を抑圧する必要があった。
【０００４】
【発明が解決しょうとする課題】
従来の図４に示すようなヘテロダイン受信方式の無線受信機にあっては、イメージ信号を除去するためのバンドパスフィルタ３は、図５に示すように、高選択性が要求され、かつ無線受信機の受信帯域に応じた範囲をカバーする必要があるが、そのために高い選択性を採ろうとすると、バンドパスフィルタ３のカバーする範囲を広げることが難しくなるという問題点があった。また、高い選択性能を確保しつつ、カバーする範囲を広くするには、中間周波数を高く設定すれば可能ではあるが、中間周波数を高く設定すると、中間周波数段で使用するフィルタとして、高価な部品の例えば、モノシリック・セラミック・フィルタ（ＭＣＦ）などを使用する必要があり、また技術的に難易度が増すなどの問題点があった。
【０００５】
このようにバンドパスフィルタ３の選択性を優先させると、広い帯域をカバーすることが困難となり、また逆に、広い帯域をカバーすると選択性が犠牲になり、選択性とカバレッジ性能を両立させることは難しく、実現できたとしても回路構成が複雑となり、コスト高となる問題点があった。
【０００６】
この発明は、上記従来の問題点に鑑みてなされたものであって、受信している信号が、希望波信号かイメージ信号かを容易に判断することができるとともに、イメージ信号を除去するためのバンドパスフィルタを用いる必要がなく、受信回路の小型化、低コスト化が可能な無線受信装置を得ることを目的としており、また、イメージ信号除去用のバンドパスフィルタを使用する必要がなくなることで、広帯域の無線受信機の設計が容易となる無線受信機を提供することを目的としている。さらに、中間周波数を数十ｋＨｚとすることで、中間周波バンドパスフィルタにモノシリック・セラミック・フィルタ（ＭＣＦ）等の高価な部品を使用する必要がなくなり、ＩＣで回路を構成することが可能となる無線受信機を提供することを目的としている。
【０００７】
【課題を解決するための手段】
上記の目的を達成するために、この発明の無線受信機においては、ヘテロダイン受信方式の無線受信機において、局部発振信号の周波数を変えて、その信号の上側と下側の両方でヘテロダイン検波を行い中間周波数帯の信号に周波数変換した後、上側と下側における両受信信号レベルを確認し、両受信信号レベルが同じときは、希望波信号とみなして復調信号を出力し、受信状態に入るように構成したものである。
【０００８】
また、ヘテロダイン受信方式の無線受信機において、局部発振信号の周波数を変えて、その信号の上側をヘテロダイン検波して中間周波数帯の信号に周波数変換した後、上側における受信信号レベルを確認する第１の受信信号レベル確認手段と、局部発振信号の周波数を変えて、その信号の下側をヘテロダイン検波して中間周波数帯の信号に周波数変換した後、下側における受信信号レベルを確認する第２の受信信号レベル確認手段と、前記第１および第２の受信信号レベル確認手段で確認した両受信信号レベルを比較し、両受信信号レベルが同じときは、希望波信号とみなして復調信号を出力して受信状態に入るように制御し、また両受信信号レベルが異なるときは、妨害波とみなして受信動作を終了して待ち受け状態に戻るように制御する受信制御手段とを備えたものである。
【０００９】
さらに、局部発振信号の周波数を変えて、その信号の上側又は下側でヘテロダイン検波を行い中間周波数帯の信号に周波数変換する際、受信信号の出力がないときは、受信動作を終了して待ち受け状態に戻るように構成することもできる。
【００１０】
また、前記受信信号レベルの確認は、受信電界強度（ＲＳＳＩ）信号を用いて受信信号レベルの確認を行うように構成することが好ましい。
また、中間周波数を数十ｋＨｚとすることが効果的である。
【００１１】
【発明の実施の形態】
この発明の実施の形態を実施例にもとづき図面を参照して説明する。
なお、図４の従来例と同一部分には、同一符号を付しその共通する箇所の詳細な説明は省略する。
図１は、この発明に係わるヘテロダイン受信方式の無線受信機の一実施例を示すブロック図である。
【００１２】
図１において、１はアンテナ、２は低雑音増幅器、４はミキサ、５は局部発振器、７は検波回路、８はＣＰＵ、９はＰＬＬ回路である。１０は信号線で、検波回路７から得た受信電界強度（ＲＳＳＩ：Ｒｅｃｉｖｅｄ　Ｓｉｇｎａｌ　Ｓｔｒｅｎｇｔｈ　Ｉｎｄｉｃａｔｅｒ）信号をＣＰＵ８へ供給するとともに、このＣＰＵ８において、検波回路７から供給された受信信号レベル（この場合は、電圧）を記録および比較するように構成している。
【００１３】
上記のように構成した図１のヘテロダイン受信方式の受信機は、中間周波数を例えば、５０ｋＨｚ程度に低く設定している。この図１の受信機において、ある希望波信号を受信するときは、図２に示すように、局部発振器５の「局部発振信号ｆＬを希望波信号ｆ＋中間周波数信号ＩＦ（中間周波数が５０ｋＨｚの場合は、ｆ＋５０ｋＨｚ）」と、「希望波信号ｆ−中間周波数信号ＩＦ（ｆ−５０ｋＨｚ）とに切り替えて、その信号の上側と下側の両方でヘテロダイン検波を行い、中間周波数帯の信号に周波数変換するように構成している。この時、受信信号が希望波信号ｆならば、図２に示すように、局部発振器５の局部発振信号ｆＬが上側（ｆ＋ＩＦ）あるいは、下側（ｆ−ＩＦ）であっても、受信することはできるが、イメージ信号は、局部発振器５の周波数が変わると受信できなくなる。
【００１４】
また、上側で受信した場合と、下側で受信した場合の両方の受信電界強度（ＲＳＳＩ）信号のレベルが同じレベルで受信できれば、正しい希望波信号ｆと見なし、復調信号を出力するように構成している。このように、上側と下側の両方で同じレベルで受信できた受信信号は、同一のものなので、受信中に上側と下側を切り替えても、受信音は途切れることがない。
【００１５】
一方、図１の無線受信機においては、上側のヘテロダイン検波と、下側のヘテロダイン検波の両方を使用するため、中間周波数を高く設定すると、局部発振器５が動作する周波数範囲が広くなり、技術的に困難となる。また、中間周波数が低すぎても近傍の妨害波を抑圧することが難しくなる。そこで、この発明の無線受信機では、中間周波数を数十ｋＨｚとすることで、中間周波数段にモノシリック・セラミック・フィルタ（ＭＣＦ）などの高価な中間周波バンドパスフィルタを使用することなく、ＩＣで回路を構成することが可能となる。
【００１６】
次に、実際の動作を図３に示すフローチャート図にもとづき説明する。図１のように構成した無線受信機において、待ち受け状態から動作をはじめる時に、ステップＳ１で、ＣＰＵ８からＰＬＬ回路９へデータを送り、局部発振器５の局部発振周波数ｆＬを上側の希望波信号ｆ＋５０ｋＨｚ（中間周波数が５０ｋＨｚの場合）にする。この時、ステップＳ２で、何も信号が無ければ、ＮＯで、受信動作を終了し、待ち受け状態に戻る。一方、ステップＳ２で、何か信号があれば、ＹＥＳで、次のステップＳ３へ進み、この時の受信電界強度（ＲＳＳＩ）信号のレベルを仮に「Ａ」とすると、この信号レベル「Ａ」をＣＰＵ８で記録する。
【００１７】
次に、ステップＳ４へ進み、ＣＰＵ８からＰＬＬ回路９へデータを送り、局部発振器５の局部発振周波数ｆＬを下側の希望波信号ｆ−５０ｋＨｚに切り替える。この下側で受信したときの信号レベルを受信電界強度（ＲＳＳＩ）信号にもとづき確認する。この時の信号レベルが先程の信号レベル「Ａ」と同じならば、ステップＳ５は、ＹＥＳで、正しい希望波信号ｆと見なして、復調信号を出力し、受信状態に入る。
【００１８】
一方、この時の信号レベルが先程の信号レベル「Ａ」と同じでない場合は、ステップＳ５は、ＮＯで、イメージ信号やその他の妨害波と判断して、待ち受け状態に戻る。
なお、上述した実施例では、上側受信、下側受信の順に構成しているが、これとは逆に構成しても、全く同様の結果を得ることができる。
【００１９】
【発明の効果】
この発明は、以上説明したように構成されているので、受信している信号が希望波信号かイメージ信号かを容易に判断することができるとともに、イメージ信号を除去するためのバンドパスフィルタを使用する必要がなく、受信回路の小型化、低コスト化が可能となる。また、イメージ信号除去用のバンドパスフィルタを使用する必要がなくなることで、広帯域の無線受信機の設計が容易となる。
【００２０】
さらに、中間周波数を数十ｋＨｚとすることで、中間周波数段に、モノシリック・セラミック・フィルタ（ＭＣＦ）などの高価な部品を使用せずに、ＩＣによる回路構成を実現することができ、製造コストの大幅な削減を図ることができる。
【図面の簡単な説明】
【図１】この発明に係わる無線受信機の実施例の構成を示すブロック図である。
【図２】図１の無線受信機の局部発振信号とイメージ信号との関係を示す説明図である。
【図３】図１の無線受信機の動作を説明するためのフローチャート図である。
【図４】従来の無線受信機の構成を示すブロック図である。
【図５】図４の無線受信機のイメージ信号とバンドパスフィルタとの関係を示す説明図である。
【符号の説明】
１　　　アンテナ
２　　　低雑音増幅器
３　　　バンドパスフィルタ
４　　　ミキサ
５　　　局部発振器
６　　　中間周波バンドパスフィルタ
７　　　検波回路
８　　　ＣＰＵ
９　　　ＰＬＬ回路
１０　　信号線
【図１】
2004080454.tif 000003
【図２】
2004080454.tif 000004
【図３】
2004080454.tif 000005
【図４】
2004080454.tif 000006
【図５】
2004080454.tif 000007